(57)【要約】      （修正有）【課題】キルト線により形成した各区画の面積（体積）に応じた充填材の充填量とすることにより、身体とのフィッティング性、保温性、寝姿の美しさを向上させた立体キルト加工の掛布団を提供する。【解決手段】掛布団１は、充填材を充填してなる立体キルト加工した掛布団１であって、掛布団１の縦キルト線２及び/又は横キルト線３を曲線状とし、キルト線により形成した各区画の面積に応じた充填材を充填する。【選択図】図１
0003212011.tif 000002
【実用新案登録請求の範囲】
【請求項１】
充填材を充填してなる立体キルト加工した掛布団において、
掛布団の縦キルト線及び/又は横キルト線を曲線状にしたこと掛布団。
【請求項２】
前記曲線状の縦キルト線が短手方向の中心線に向かって凸型であり、前記曲線状の横キルト線が長手方向の中心線に向かって凸型であることを特徴とする請求項１に記載の掛布団。
【請求項３】
マチがアーチ形状であることを特徴とする請求項１又は２に記載の掛布団。
【考案の詳細な説明】
【技術分野】
【０００１】
本考案は、人の身体に掛けた際の該身体とのフィッティング性、保温性、寝姿の美しさを向上させた掛布団に関し、特に曲線状の立体キルト加工をした掛布団に関する。
【背景技術】
【０００２】
一般的に、掛布団は羽毛、綿などの充填材の偏りを防ぐため、格子状に直線状のキルティング加工をしている。近年、表地と裏地を直接縫い付ける（以下、「平面キルト加工」という。）掛布団は、身体へのフィッティング性を高めるため、曲線状にキルティング加工をしているものが知られている。一方、表地と裏地の間にマチを入れて縫い付ける（以下、「立体キルト加工」という。）掛布団は、登録実用新案公報第３１０６７８４号（特許文献１）のように、掛布団の長手方向にジグザグ状、短手方向には直線状のキルティング加工し、身体へのフィッティング性を高めているものが知られている。
【先行技術文献】
【特許文献】
【０００３】
【特許文献１】登録実用新案公報第３００４４６８号
【考案の概要】
【考案が解決しようとする課題】
【０００４】
しかしながら、上記の平面キルト加工された掛布団では、縫い目部分から熱が逃げやすいという問題点があった。また、上記の立体キルト加工された掛布団（特許文献１）では、ジグザグ状のキルト線に沿って掛布団が屈曲しても、人の身体は曲線状であるため、フィッティング性が不十分で、保湿性がよくない。更に、キルト線により形成した各区画の面積が同じになるような形状としているため、不必要なところへキルティング加工して保温性を下げ、身体の形状に適した箇所とずれた位置でのキルティング加工となっているなど、身体へのフィッティング犠牲にし、各区画への充填材の充填量を同じにすることによる製作の容易性に重点がおかれている。加えて、掛布団がジグザグ状に屈曲した状態は、寝姿が美しい状態とはいえない。
【０００５】
そこで、本考案の課題は、立体キルト加工の掛布団において、掛布団の長手方向、短手方向に身体の形状に適した曲線状のキルティング加工をし、キルト線により形成した各区画の面積（体積）がそれぞれ異なり、当該面積（体積）に応じた充填材の充填量とすることにより、身体とのフィッティング性、保温性、寝姿の美しさを向上させた掛布団を提供することにある。
【０００６】
本考案者は、上記課題を解決するために鋭意検討を重ねた。その結果、以下の考案を完成するに至った。
【０００７】
（１）  充填材を充填してなる立体キルト加工した掛布団において、掛布団の縦キルト線及び/又は横キルト線を曲線状にした掛布団。
（２）  曲線状の縦キルト線が短手方向の中心線に向かって凸型であり、曲線状の横キルト線が長手方向の中心線に向かって凸型であることを特徴とする（１）に記載の掛布団。
（３）  マチがアーチ形状であることを特徴とする（１）又は（２）に記載の掛布団。
【考案の効果】
【０００８】
本考案の立体キルト加工された掛布団によれば、身体とのフィッティング性、保温性、寝姿の美しさを向上させることができる。
【図面の簡単な説明】
【０００９】
【図１】本考案の実施形態１にかかる掛布団１の一例を示す概略平面図である。
【図２】本考案の実施形態１にかかる掛布団１のマチの配置の一例を示す概略斜視図である。
【図３】本考案の実施形態１にかかる掛布団１を人の身体に掛けている状態を示す図である。
【図４】本考案の実施形態２にかかるマチの一例を示す図である。
【図５】本考案の実施形態２にかかる掛布団１のマチの配置の一例を示す概略斜視図である。
【考案を実施するための形態】
【００１０】
[実施形態１]
図１〜３は、本考案の掛布団１の実施形態１を示す。実施形態１に係る掛布団１は、図１に示すように、長手方向のキルト線（以下、「縦キルト線２」という。）である第一縦キルト線２ａ、第二縦キルト線２ｂ、第三縦キルト線２ｃと短手方向のキルト線（以下、「横キルト線３」という。）である第一横キルト線３ａ、第二横キルト線３ｂ、第三横キルト線３ｃ、第四横キルト線３ｄと、を備える。なお、キルト線とは、掛布団１にキルティング加工をした際に表地１（１）や裏地１（２）に生じる縫い目のことをいう。
【００１１】
第一縦キルト線２ａは、図1に示すように、掛布団１の上端であって、長手方向の中心線Aより左側から中心線Aに向かって緩やかな曲線となっており、短手方向の中心線Bとの交点１Dを頂点として、緩やかに中心線Aから離れて下端に達する凸形状となっている。第三縦キルト線２ｃは、図1に示すように、掛布団１の上端であって、長手方向の中心線Aより右側から中心線Aに向かって緩やかな曲線となっており、短手方向の中心線Bとの交点２Dを頂点として、緩やかに中心線Aから離れて下端に達する凸形状となっている。第二縦キルト線２ｂは、図1に示すように、掛布団の上端から下端まで、長手方向の中心線Ａに沿って直線形状となっている。
【００１２】
第一横キルト線３ａは、図1に示すように、掛布団１の左端であって、短手方向の中心線Ｂより上方から中心線Ｂに向かって緩やかな曲線となっており、長手方向の中心線Aとの交点１Ｅを頂点として、緩やかに中心線Ｂから離れて右端に達する凸形状となっている。第二横キルト線３ｂは、第一横キルト線３ａとほぼ同様の形状であり、横キルト線３ａと短手方向の中心線Ｂとの間に位置し、長手方向の中心線Aとの交点２Ｅを頂点とする。
第四横キルト線３ｄは、図1に示すように、掛布団１の左端であって、短手方向の中心線Ｂより下方から中心線Ｂに向かって緩やかな曲線となっており、長手方向の中心線Aとの交点４Ｅを頂点とし、緩やかに中心線Ｂから離れて右端に達する凸形状となっている。第三横キルト線３ｃは、横キルト線３ｄとほぼ同様の形状であり、横キルト線３ｄと短手方向の中心線Ｂとの間に位置し、長手方向の中心線Aとの交点３Ｅを頂点とする。
【００１３】
本考案の実施形態１に係る掛布団１は、図２に示すように、長手方向に延びるマチ（以下、「縦マチ」という。）である第一縦マチ２１ａ、第二縦マチ２１ｂ、第三縦マチ２１ｃと短手方向に延びるマチ（以下、「横マチ」という。）である第一横マチ３１ａ、第二横マチ３１ｂ、第三横マチ３１ｃ、第四横マチ３１ｄと、から構成している。縦マチ２１及び横マチ３１は、帯形状であり、高さｆは一定である。なお、縦マチ２１及び横マチ３１の両端近傍では端部に向かってテーパ形状となっていてもよい。また、縦マチ２１及び横マチ３１は、表地１（１）、裏地１（２）に縫合されているので、図1に示すキルト線に対応する曲線又は直線状に配置されている。従って、縦マチ２１ａ、２１ｂ、２１ｃは、それぞれ縦キルト線２ａ、２ｂ、２Cに、横マチ３１ａ、３１ｂ、３１ｃ、３１ｄは、それぞれ横キルト線３ａ、３ｂ、３ｃ、３ｄと同様の曲線又は直線状に配置している。
第一〜第三縦マチ２１ａ、２１ｂ、２１ｃと第一〜第四横マチ３１ａ、３１ｂ、３１ｃ、３１ｄにより、X1、・・・、X２０の２０個の区画を設けている。
【００１４】
なお、縦キルト線２、横キルト線３は、上記のように２ａ、２ｂ、２ｃ、３ａ、３ｂ、３ｃ、３ｄに限られるものではなく、増減させることができる。直線状の縦キルト線２ｂについて省略してもよい。また、縦キルト線２、横キルト線３は、凸形状を複数有していてもよく、波形状であってもよい。
【００１５】
本考案の実施形態１における掛布団１は、従来の方法と同様に、表地１（１）と裏地１（２）の内部に縦マチ２１及び横マチ３１を縫い込み、掛布団１の側地を形成する。従来と異なる点は、X1、・・・、X２０の２０個の各区画の面積（体積）が異なるため、充填材の充填量を区画ごとに変える点である。マチの高さｆは一定のため、各区画の表地（裏地）の面積を算出しておき、各面積に比例した充填量とする。このようにする事で、全ての区画で同じ厚みで、同じ弾力のある掛布団とすることができる。また、掛布団１の側地の側部に充填材注入のための開口を設けて、コンプレッサーに接続したパイプを挿入し、X1、・・・、X２０の区画ごとに充填材を充填する。なお、充填材としては、羽毛、綿、ポリエステル繊維など様々なものが用いられる。
【００１６】
図３は、本考案にかかる掛布団１を人３０に掛けている状態を示す。図３に示すように、掛布団１の上端部（人３０の頭側）では、縦キルト線２aと２ｃ間隔が広がっているが、これは人３０の肩幅に合わせているものであり、縦キルト線２aと２ｃ間隔は、長手方向の中心線Aに向かって緩やかに間隔を狭めているが、これは、肩から腰のあたりにかけての人３０の体形に合わせているものである。短手方向の中心線Bから下端部に向けて掛布団１の下端部縦キルト線２aと２c間隔が緩やかに広がっているが、これは人３０の足が少し広がった状態で就寝することを考慮したものである。
縦キルト線２aに沿って、掛布団1のX１、X５、X９、X１３、X１７が屈曲し、縦キルト２ｃに沿って、X４、X８、X１２、X１６、X２０が屈曲するため、身体のカーブに沿っており、フィッティング性が非常によく、保温性に優れる。また、緩やかな曲線状に屈曲するため寝姿が美しくなる。
【００１７】
同様に、横キルト線３aは人３０の肋骨と腹部での段差、横キルト線３ｂは腰の段差、横キルト線３ｃは膝の動きによる段差、横キルト線３ｄは足先の段差等に沿って屈曲するため、人３０の肩から足先にかけての段差に対しても隙間を作らずフィッティング性が非常によく、保温性に優れる。また、緩やかな曲線状に屈曲するため寝姿が美しくなる。
【００１８】
[実施形態２]
図４に示すように、実施形態２の掛布団１は、前述した実施形態１の掛布団１において、縦マチ２１及び横マチ３１をアーチ形状としたものである。当該アーチ形状の縦マチ２１’及び横マチ３１’は、底辺ｇ１は直線状であり、底辺ｇ１の両方の端部から鉛直方向に延びる高さｆ１、ｆ２を有し、高さｆ１、ｆ２の上端部間が表地に凸形状の曲線となっている上辺ｇ２から構成している。また、高さｆ１、ｆ２の上端部間が所定長まではｇ１と平行な直線と凸形状の曲線との組合せからなる上辺ｇ３であってもよい。更に、上辺ｇ２、ｇ３の曲線部分は凸形状のほか、凹形状であってもよい。
【００１９】
本考案の実施形態２に係る掛布団１は、図５に示すように、長手方向に延びるアーチ形状の縦マチ２１ａ’、２１ｂ’、２１ｃ’と短手方向に延びるアーチ形状の横マチ３１ａ’、３１ｂ‘、３１ｃ’、３１ｄ’とから構成している。このように構成することにより、X’１、・・・、X’２０の２０個の各区画の平均的な厚さをそれぞれ異なるようにすることができる。
【００２０】
このように構成することにより、例えば、図５に示すマチの構造を有する掛布団１では、特に身体の保温効果を高めたい区画であるX’６、X’７、X’１０、X’１１、X’１４、X’１５、即ち人３０の腹部から足にかけて充填材が厚くなっており、保温性を高めたい区画で掛布団１の厚みをだすことによる効果的な保温性の向上を図ることができる。特に、充填材に羽毛を使用する場合などは、羽毛が高価であるので、羽毛の総量を変えずに、効果の高い区画に羽毛量を多くし、効果が低いところは羽毛量を少なくすることにより、同じ量の羽毛であっても保温性を高めることができる。また、縦マチ２１’及び横マチ３１’の上辺ｇ２の曲率やｇ３の直線部分の長さや曲線部分の曲率を変えて使用することにより、保温性の高い区画を変更することができる。例えば、足先が冷え性の人に対しては、X’１３・・・X２０’の区画の羽毛量を多くして、足先の保温性を高めることができる。なお、縦マチ２１’及び横マチ３１’の交点では、両マチの高さが同じになることが好ましい。高さに差があると充填材が移動しやすくなるからである。
【００２１】
なお、充填材の充填方法は実施の形態1と同様であるが、充填量の計算は、各区画の体積をあらかじめ計算しておいて、体積に比例した量を充填する。
【符号の説明】
【００２２】
A  掛布団の長手方向の中心線
B  掛布団の短手方向の中心線
１  掛布団
１（１）  表地
１（２）  裏地
２  縦キルト線
２ａ  第一縦キルト線
２ｂ  第二縦キルト線
２ｃ  第三縦キルト線
３  横キルト線
３ａ  第一横キルト線
３ｂ  第二横キルト線
３ｃ  第三横キルト線
３ｄ  第四横キルト線
１Ｄ、２Ｄ  縦キルト線の頂点
１Ｅ、２Ｅ、３Ｅ、４Ｅ  横キルト線の頂点
２１、２１’  縦マチ
２１ａ、２１ａ’  第一縦マチ
２１ｂ、２１ｂ’  第二縦マチ
２１ｃ、２１ｃ’  第三縦マチ
３１、３１’  横マチ
３１ａ、３１ａ’  第一横マチ
３１ｂ、３１ｂ’  第二横マチ
３１ｃ、３１ｃ’  第三横マチ
３１ｄ、３１ｄ’  第四横マチ
３０  人
【図１】
0003212011.tif 000003
【図２】
0003212011.tif 000004
【図３】
0003212011.tif 000005
【図４】
0003212011.tif 000006
【図５】
0003212011.tif 000007